(57)【特許請求の範囲】
【請求項１】
外皮に覆われた光ファイバを有する光ケーブルを切断可能な光ケーブル切断工具であって、
前記光ケーブル全体を切断可能なケーブル切断刃と、
前記光ケーブルの長手方向に対して前記ケーブル切断刃と異なる位置で前記光ファイバ以外の一部を残して前記光ケーブルを破断可能なファイバ破断刃と、を有する、光ケーブル切断工具。
【請求項２】
前記光ケーブルの長手方向に対して、一対の前記ファイバ破断刃が前記ケーブル切断刃の両側に設けられている、請求項１に記載の光ケーブル切断工具。
【請求項３】
前記ケーブル切断刃および前記ファイバ破断刃を保持する刃保持ユニットと、
前記ケーブル切断刃および前記ファイバ破断刃と対向するように設けられ、前記光ケーブルの切断時に前記ケーブル切断刃および前記ファイバ破断刃を受ける受け座ユニットと、を有し、
前記受け座ユニットは、前記ケーブル切断刃および前記ファイバ破断刃の並び方向に沿って前記光ケーブルが載置されるケーブル載置部を有し、
前記ケーブル載置部は、前記ファイバ破断刃を受ける位置の近傍に、前記刃保持ユニット側に突出し前記光ケーブルと交差する方向に延びる腕部を有する、請求項１または２に記載の光ケーブル切断工具。
【請求項４】
前記刃保持ユニットが装着可能な刃側グリップユニットと、
前記受け座ユニットが装着可能な受け座側グリップユニットと、を有し、
前記刃側グリップユニットと受け座側グリップユニットとは同一形状とされている、請求項３に記載の光ケーブル切断工具。
【発明の詳細な説明】
【技術分野】
【０００１】
本発明は、光ファイバを有する光ケーブルを切断する光ケーブル切断工具に関する。
【背景技術】
【０００２】
近年、一般家庭に光ファイバを引きこむＦＴＴＨ（Ｆｉｂｅｒ  Ｔｏ  Ｔｈｅ  Ｈｏｍｅ）の加入者が増加している。通信光を伝送する光ファイバを建物内で配線するために、ドロップ光ケーブルが利用されている。ドロップ光ファイバは、幹線ケーブルから分岐されたドロップケーブルに、光ネットワーク機器を接続する信号線である。
【先行技術文献】
【特許文献】
【０００３】
【特許文献１】特開２０１０−２７６７８７号公報
【発明の概要】
【発明が解決しようとする課題】
【０００４】
光ネットワーク機器には、その内部に直接ドロップ光ケーブルを引き込んで光結合しているものがある。このような光ネットワーク機器については、光回線を利用していたユーザが光回線サービスを解約する、あるいはユーザが引越しをする際に、光ネットワーク機器からドロップ光ケーブルを切断する必要がある。この切断作業には、例えば特許文献１に記載の切断工具が用いられている。
【０００５】
従来、このドロップ光ケーブルを切断する作業は専門業者が行っていた。ところが、作業のたびに専門業者がユーザの家庭に訪問するのでは費用が嵩む。そこで、一般のユーザが自分でこのドロップ光ケーブルの切断作業を行うことが考えられる。
しかし、このドロップ光ケーブル中に通信光が伝送されているか否かは一般ユーザにはわかりにくいことがあり、一般ユーザがドロップ光ケーブルを切断する際に、ドロップ光ケーブルの端面から出射した通信光が一般ユーザの目に入る虞がある。
【０００６】
そこで本発明は、一般ユーザでも安全に光ケーブルを切断することができる光ケーブル切断工具を提供することを目的とする。
【課題を解決するための手段】
【０００７】
上記課題を解決することのできる本発明の光ケーブル切断工具は、
外皮に覆われた光ファイバを有する光ケーブルを切断可能な光ケーブル切断工具であって、
前記光ケーブル全体を切断可能なケーブル切断刃と、
前記光ケーブルの長手方向に対して前記ケーブル切断刃と異なる位置で前記光ファイバ以外の一部を残して前記光ケーブルを破断可能なファイバ破断刃と、を有することを特徴とする。
【０００８】
本発明の光ケーブル切断工具において、
前記光ケーブルの長手方向に対して、一対の前記ファイバ破断刃が前記ケーブル切断刃の両側に設けられていることが好ましい。
【０００９】
本発明の光ケーブル切断工具において、
前記ケーブル切断刃および前記ファイバ破断刃を保持する刃保持ユニットと、
前記ケーブル切断刃および前記ファイバ破断刃と対向するように設けられ、前記光ケーブルの切断時に前記ケーブル切断刃および前記ファイバ破断刃を受ける受け座ユニットと、を有し、
前記受け座ユニットは、前記ケーブル切断刃および前記ファイバ破断刃の並び方向に沿って前記光ケーブルが載置されるケーブル載置部を有し、
前記ケーブル載置部は、前記ファイバ破断刃を受ける位置の近傍に、前記刃保持ユニット側に突出し前記光ケーブルと交差する方向に延びる腕部を有することが好ましい。
【００１０】
本発明の光ケーブル切断工具において、
前記刃保持ユニットが装着可能な刃側グリップユニットと、
前記受け座ユニットが装着可能な受け座側グリップユニットと、を有し、
前記刃側グリップユニットと受け座側グリップユニットとは同一形状とされていることが好ましい。
【発明の効果】
【００１１】
本発明の光ケーブル切断工具によれば、ケーブル切断刃によって光ケーブル全体が切断され光ケーブルの端面が形成される。また、ファイバ破断刃によって光ファイバは破断され、光ファイバの破断面が形成される。この光ファイバの破断面は光ケーブルの端面と異なる位置に形成されているので、光ファイバの破断面から光ケーブルの端面側に通信光が伝達されない。したがって、光ファイバの破断面から出射した光は、外部に出射することがない。したがって、一般ユーザでも通信光が眼に入る虞が無く、安全に光ケーブルを切断することができる。
【図面の簡単な説明】
【００１２】
【図１】切断対象となる光ケーブルの断面図である。
【図２】本発明にかかる実施形態の光ケーブル切断工具の斜視図である。
【図３】受け座側グリップユニットの斜視図である。
【図４】（Ａ）は刃保持ユニットを下方から見た斜視図であり、（Ｂ）は（Ａ）中Ｂ方向から見た底面図である。
【図５】（Ａ）は図４（Ｂ）中ＶＡ−ＶＡ位置の断面図であり、（Ｂ）は図４（Ｂ）中ＶＢ−ＶＢ位置の断面図である。
【図６】（Ａ）は受け座ユニットを上方から見た斜視図であり、（Ｂ）は（Ａ）中Ｂ方向から見た平面図である。
【図７】切断する光ケーブルを光ケーブル切断工具にセットした状態の斜視図である。
【図８】光ケーブルを切断したときの光ケーブル切断工具の斜視図である。
【図９】ファイバ破断刃により光ファイバ心線を破断する状態の断面図である。
【図１０】図８中Ｘ−Ｘ位置の断面図である。
【図１１】切断した光ケーブルを取り出した状態の斜視図である。
【図１２】受け座ユニットの交換作業を示す斜視図である。
【図１３】（Ａ）は本発明の第一変形例に係るファイバ破断刃４６Ａを用いた破断状態を示す断面図であり、（Ｂ）は本発明の第二変形例に係るファイバ破断刃４６Ｂを用いた破断状態を示す断面図である。
【発明を実施するための形態】
【００１３】
以下、本発明に係る光ケーブル切断工具の実施の形態の例を、図面を参照して説明する。
【００１４】
本実施形態においては、切断対象となる光ケーブル６０として、幹線ケーブルから各家庭に引きこまれ、更に電子機器と接続されるドロップ光ケーブル（光ケーブル）６０（図２参照）を切断する場合を例に挙げて説明する。なお、以下の説明においては、ドロップ光ケーブル６０を単に「光ケーブル６０」と呼ぶ。
【００１５】
図１は、光ケーブル切断工具１０の切断対象となる光ケーブルの断面図である。図１に示したように、光ケーブル６０は、中央に１本の光ファイバ心線６１と、光ファイバ心線６１の左右両側に強度部材であるテンションメンバ６２，６２とが配置されており、全体が難燃性のＰＥ（ポリエチレン）からなるシース（外皮）６３により一体化されている。
【００１６】
図２に示すように、光ケーブル切断工具１０は、刃側グリップユニット２０と、受け座側グリップユニット３０とを有しており、両グリップユニット２０，３０は、ヒンジ部材１１によって開閉可能に連結されている。刃側グリップユニット２０および受け座側グリップユニット３０は、互いに同一形状であり、樹脂製の部材である。
【００１７】
なお、以下の説明においては、受け座側グリップユニット３０を下側にして、刃側グリップユニット２０を上下に開閉する場合について説明する。また、以下の説明において、内側とは刃側グリップユニット２０および受け座側グリップユニット３０を開いた場合の内側を言う。また、ヒンジ部材１１側を基端側、ヒンジ部材１１と反対側を先端側と呼ぶ。
【００１８】
図３は、受け座側グリップユニット３０の斜視図である。なお、以下の説明において、刃側グリップユニット２０も同一形状なので、刃側グリップユニット２０については、図３中にカッコ書きで符号を示すこととする。
【００１９】
受け座側グリップユニット３０（刃側グリップユニット２０）は、基端側が直線で、先端側が略円弧状の形状をしている。また、受け座側グリップユニット３０（刃側グリップユニット２０）の外面３１（２１）は、略平坦面に形成されており、この外面３１（２１）を地面に接地させることにより、光ケーブル切断工具１０を安定的に置くことができる。
【００２０】
受け座側グリップユニット３０（刃側グリップユニット２０）を開いた時の内面は、先端側においてえぐれており、先端側に薄肉部３２（２２）が形成されている。これにより、刃側グリップユニット２０と受け座側グリップユニット３０とを閉じた際に、先端側に空間Ｓ（図８参照）が形成されている。
【００２１】
受け座側グリップユニット３０（刃側グリップユニット２０）の基端側には厚肉部３４（２４）が設けられている。厚肉部３４（２４）側の内面３４ａ（２４ａ）は外面３１（２１）と平行に形成されている。内面３４ａ（２４ａ）の略中央には、凹部３５（２５）が設けられている。凹部３５（２５）の底面には、窪み３５ａ（２５ａ）が設けられている。
【００２２】
受け座側グリップユニット３０（刃側グリップユニット２０）の左右の側面３４ｂ（２４ｂ）には、光ケーブル６０が挿通可能な開口３６（２６）が各々設けられている。また、側面３４ｂ（２４ｂ）における開口３６（２６）の下方には、凹部３５（２５）と外部を連通する貫通孔３７（２７）が設けられている。
【００２３】
受け座側グリップユニット３０（刃側グリップユニット２０）の基端側の端部には、軸受け部３８（２８）が設けられている。受け座側グリップユニット３０の軸受け部３８は、受け座側グリップユニット３０の幅が４分割されており、円筒形状の端側軸受け部３８ａと、有底の円筒形状をした中間軸受け部３８ｂを有する。
【００２４】
刃側グリップユニット２０も同様に、端側軸受け部２８ａおよび中間軸受け部２８ｂからなる軸受け部２８を有する。そして、中間軸受け部２８ｂは、受け座側グリップユニット３０の端側軸受け部３８ａと中間軸受け部３８ｂとの間に挿嵌され、端側軸受け部２８ａは中間軸受け部３８ｂの外側に位置する（図１参照）。
【００２５】
端側軸受け部３８ａから中間軸受け部２８ｂにヒンジ部材１１を挿嵌するとともに、端側軸受け部２８ａから中間軸受け部３８ｂにヒンジ部材１１を挿嵌することにより、受け座側グリップユニット３０と刃側グリップユニット２０とが、互いに開閉可能に支持される。なお、端側軸受け部２８ａ、３８ａを円筒形状として、１本のヒンジ部材を挿通して、受け座側グリップユニット３０と刃側グリップユニット２０とを、互いに開閉可能に連結してもよい。
【００２６】
図４（Ａ）は刃保持ユニットを下方から見た斜視図である。図４（Ｂ）は図４（Ａ）をＢ方向から見た底面図である。図４（Ａ）および図４（Ｂ）に示すように、刃保持ユニット４０は、略直方体状のブロック状の部材である。刃保持ユニット４０の上面には外側（上方）に湾曲した凸部４１を有する。この凸部４１は、刃側グリップユニット２０の凹部２５の窪み２５ａと対応する形状に形成されている。これにより、刃保持ユニット４０を刃側グリップユニット２０の凹部２５に挿入した際に、凸部４１が凹部２５の底面の窪み２５ａに嵌めこまれる。
【００２７】
刃保持ユニット４０の長手方向両端面には爪部４７が設けられている。この爪部４７は、長手方向内側に弾性変形可能である。また、爪部４７の先端部外面には係止突起４７ａが設けられている。この係止突起４７ａは、刃保持ユニット４０を刃側グリップユニット２０の凹部２５に挿嵌した際に、側面２４ｂに設けられている貫通孔２７に嵌合される。これにより、刃保持ユニット４０は、刃側グリップユニット２０の凹部２５に着脱可能に取り付けられる。
【００２８】
刃保持ユニット４０の下面は、刃保持ユニット４０の長手方向（図４（Ｂ）において左右方向）に３個のブロック部に分割されている。すなわち、長手方向の中央には中央ブロック部４２ａが配置され、中央ブロック部４２ａの長手方向両側に端ブロック部４２ｂ，４２ｂが配置されている。また、中央ブロック部４２ａと端ブロック部４２ｂとの間は、空間４５ａによって隔てられている。また、端ブロック部４２ｂよりも端部側にも空間４５ｂが形成されている。
【００２９】
また、中央ブロック部４２ａおよび端ブロック部４２ｂ，４２ｂのそれぞれの下面の幅方向中央には、溝部４３が互いに連続するように長手方向に沿って形成されている。
【００３０】
図５（Ａ）は図４（Ｂ）のＶＡ−ＶＡ位置の断面図であり、図５（Ｂ）は図４（Ｂ）のＶＢ−ＶＢ位置の断面図である。図５（Ａ）に示すように、溝部４３の対向する内面４３ａ，４３ａ間の間隔Ｗ１は、光ケーブル６０の幅と同じか僅かに大きく形成されている。内面４３ａは、光ケーブル６０を溝部４３に挿入する際のガイド面となる。
【００３１】
中央ブロック部４２ａには、溝部４３を直角に横切るように、ケーブル切断刃４４が埋め込まれている。ケーブル切断刃４４は溝部４３の幅Ｗ１より大きく、両端部が溝部４３の内面４３ａに埋め込まれている。また、ケーブル切断刃４４の高さ（刃保持ユニット４０の下面からの突出高さ）Ｈ１は、光ケーブル６０の厚みｔ（図１参照）よりも大きい。なお、ケーブル切断刃４４の刃先は刃保持ユニット４０の下面４０ｂよりも内側に配置されており、ケーブル切断刃４４の刃先は下面４０ｂよりも外側に突出していない。これにより、ユーザが直接ケーブル切断刃４４の刃先に触る虞がなく、安全に取り扱うことができる光ケーブル切断工具１０を提供することができる。
【００３２】
図５（Ｂ）に示すように、端ブロック部４２ｂには、溝部４３を直角に横切るように、ファイバ破断刃４６が埋め込まれている。また、このファイバ破断刃４６は、切断する光ケーブル６０の長手方向において、ケーブル切断刃４４と異なる位置に設けられている。
【００３３】
ファイバ破断刃４６は、光ファイバ心線６１を破断し、シース６３の一部を残して光ケーブル６０を切断することができる。つまり、光ケーブル６０における光ファイバ心線６１以外の一部を残して光ケーブル６０を破断可能である。本実施形態では、ファイバ破断刃４６は、先端（図５（Ｂ）において下端）の幅Ｗ２が基端（図５（Ｂ）において上端）の幅Ｗ３よりも小さな台形状を呈している。また、ファイバ破断刃４６の基端側の幅Ｗ３は、光ケーブル６０の一対のテンションメンバ６２，６２の間隔よりも狭く設定されている。このファイバ破断刃４６の刃先も下面４０ｂから引っ込んでおり、ユーザが安全に光ケーブル切断工具１０を扱うことができる。また、本実施形態では、単一のケーブル切断刃４４と一対のファイバ破断刃４６が一列に配列されている。
【００３４】
図６（Ａ）は受け座ユニットを上方から見た斜視図であり、図６（Ｂ）は図６（Ａ）をＢ方向から見た平面図である。図６（Ａ）および（Ｂ）に示すように、受け座ユニット５０は、刃保持ユニット４０の外形と略等しい大きさのブロック状の部材である。
【００３５】
受け座ユニット５０の下面には外側（下方）に湾曲した凸部５１を有する。この凸部５１は、受け座側グリップユニット３０の凹部３５の底面の窪み３５ａと対応する形状に形成されている。これにより、受け座ユニット５０を受け座側グリップユニット３０の凹部３５に挿入した際に、凸部５１は凹部３５の底面の窪み３５ａに嵌めこまれる。
【００３６】
受け座ユニット５０の長手方向両端面には、係止爪５２が長手方向内側に弾性変形可能に設けられている。この係止爪５２は、受け座ユニット５０を受け座側グリップユニット３０の凹部３５に挿嵌した際に、凹部３５に係止される。これにより、受け座ユニット５０は受け座側グリップユニット３０の凹部３５に取り付けられる。
【００３７】
受け座ユニット５０の上面５０ａには、切断する光ケーブル６０が載置される台座（ケーブル載置部）５５がケーブル切断刃４４およびファイバ破断刃４６の並び方向に沿って設けられている。台座５５の上面前側端には、微小突起５５ａが設けられている。
【００３８】
また、台座５５の上面５０ａには、刃保持ユニット４０の中央ブロック部４２ａが嵌合可能な凹部５３ａ、および、刃保持ユニット４０の一対の端ブロック部４２ｂ，４２ｂが嵌合可能な凹部５３ｂが設けられている。また、中央の凹部５３ａとその両側の凹部５２ｂ，５２ｂとの間に形成された凸部５９ａは、刃保持ユニット４０の空間４５ａに嵌合可能とされている。受け座ユニット５０の長手方向両端に設けられた凸部５９ｂは、刃保持ユニット４０の空間４５ｂに嵌合可能とされている。
【００３９】
また、凹部５３ａと凹部５３ｂとの間および受け座ユニット５０の両端部には、ケーブル切断刃４４およびファイバ破断刃４６の並び方向に交差する方向に延びる４つの腕部５４が、刃保持ユニット４０側（図６（Ａ）において上方）に突出するように設けられている。腕部５４と台座５５との間には、光ケーブル６０の厚みｔよりも大きく、幅ｗよりも小さい隙間５６が設けられている。
【００４０】
図６（Ｂ）に示すように、台座５５の長手方向中央には、光ケーブル６０切断時に、刃保持ユニット４０のケーブル切断刃４４が侵入可能なケーブル切断刃受部５７が設けられている。ケーブル切断刃受部５７の幅は、ケーブル切断刃４４の厚さよりも大きく、深さはケーブル切断刃４４の先端が当接しない深さとされている。
【００４１】
また、ケーブル切断刃受部５７を挟んで台座５５の長手方向の両側には、一条の溝がファイバ破断刃受部５８として設けられている。光ケーブル６０切断時に、ファイバ破断刃受部５８には、刃保持ユニット４０のファイバ破断刃４６が侵入する。ファイバ破断刃受部５８は、ファイバ破断刃４６が当接しない大きさおよび深さに形成されている。本実施形態では、このファイバ破断刃受部５８は、円形の空間として形成されている。
【００４２】
次に、光ケーブル切断工具１０を用いた光ケーブル６０の切断工程について説明する。
まず、刃側グリップユニット２０の凹部２５に刃保持ユニット４０を取り付け、受け座側グリップユニット３０の凹部３５に受け座ユニット５０を取り付けておく。
【００４３】
次に、図７に示すように、光ケーブル切断工具１０の前側から、光ケーブル６０を腕部５４と台座５５との間の隙間５６へ挿入して（図７中矢印Ａ参照）、光ケーブル６０を台座５５の上に載置する。このとき、光ケーブル６０は、その長手方向が台座５５の長手方向と一致するように、つまり、ケーブル切断刃４４とファイバ破断刃４６の並び方向と光ケーブル６０の長手方向とが一致するように、台座５５の上に載置される。
【００４４】
なお、隙間５６は、光ケーブル６０の幅ｗよりも狭く、光ケーブル６０の厚みｔよりも大きい。したがって、光ケーブルは、所定の姿勢でのみ台座５５の上に載置される。またこのとき、光ケーブル６０は、台座５５の前端に設けられている微小突起５５ａ（図６（Ａ）参照）を乗り越えて台座５５に達する。
【００４５】
次いで、図８に示すように、刃側グリップユニット２０および受け座側グリップユニット３０を、ヒンジ部材１１を回転軸にして閉じる（図７中矢印Ｂ参照）。これにより、図１０に示すように、光ケーブル切断工具１０の中心部分において光ケーブル６０はケーブル切断刃４４により完全に切断されるとともに、切断位置の両側において光ファイバ心線６１はファイバ破断刃４６によって完全に破断される。なお、２カ所の破断位置においては、少なくとも光ファイバ心線６１以外の部分が、切断されずに残っている。
【００４６】
より詳細には、ケーブル切断刃４４の幅寸法は光ケーブル６０の幅ｗよりも大きく、またケーブル切断刃４４の高さ寸法も光ケーブル６０の厚みｔよりも大きい。このため、光ケーブル６０はケーブル切断刃４４により完全に切断される。
【００４７】
図９はファイバ破断刃４６により光ファイバ心線６１を破断する状態の断面図である。図９に示すように、ファイバ破断刃４６の高さ寸法Ｈ３は、光ファイバ心線６１に到達し光ケーブル６０を貫通するように、この部分の光ケーブル６０の厚みよりも大きく設定されている。また、ファイバ破断刃４６の幅Ｗ２は、光ファイバ心線６１よりも大きく光ケーブル６０の幅ｗよりも小さい。
【００４８】
図９に示すように、本実施形態に係る光ケーブル切断工具１０を用いて光ケーブル６０を切断すると、テンションメンバ６２と、シース６３の一部が破断されないまま残され、光ファイバ心線６１が破断される。
【００４９】
なお、ファイバ破断刃４６は、光ファイバ心線６１をきれいな面で切断するのではなく、光ファイバ心線６１を潰すように破断させている。これにより、光ファイバ心線６１の端部に微細な凹凸が形成され、光ファイバ心線６１の端部から通信光が漏出することを抑制できる。
【００５０】
また、刃側グリップユニット２０および受け座側グリップユニット３０を閉じようとするとき、刃保持ユニット４０の中央ブロック部４２ａが受け座ユニット５０の凹部５３ａに嵌り、受け座ユニット５０の凸部５９ａが、刃保持ユニット４０の空間４５ａに嵌る。刃側グリップユニット２０および受け座側グリップユニット３０が長手方向にずれて閉じることがない。これにより、ケーブル切断刃４４およびファイバ破断刃４６を決まった位置で長手方向に対して垂直に下ろすことができ、確実に光ケーブル６０を切断することができる。
【００５１】
また、光ケーブル６０は、微小突起５５ａを乗り越えて台座５５に置かれているため、光ケーブル６０の切断時に、光ケーブル６０が腕部５４と台座５５との間の隙間５６から外側へ逃げることがない。これにより、確実に光ケーブル６０を切断することができる。
【００５２】
また、溝部４３の内面４３ａは、光ケーブル６０を溝部４３に挿入する際のガイド面とされている。このため、刃側グリップユニット２０および受け座側グリップユニット３０を閉じようとするとき、光ケーブル６０は溝部４３の内面４３ａに案内されて、光ケーブル６０はケーブル切断刃４４およびファイバ破断刃４６によって確実に切断される。
【００５３】
なお上述のようにして光ケーブル６０を切断後、図８および図１０の状態では、光ケーブル６０の一部にファイバ破断刃４６が食い込んでいるので、切断された光ケーブル６０は光ケーブル切断工具１０から簡単に取り出すことができない。
【００５４】
そこで次に、図１１に示すように、刃側グリップユニット２０および受け座側グリップユニット３０を、ヒンジ部材１１を回転軸にして開く（図１１中矢印Ａ参照）。このとき、刃側グリップユニット２０と受け座側グリップユニット３０との間に設けられている空間Ｓ（図８参照）に指を入れることにより、容易に開くことができる。
【００５５】
刃側グリップユニット２０と受け座側グリップユニット３０をこのように開くとき、光ケーブル６０は、下側に位置する受け座側グリップユニット３０に設けられた腕部５４によって上方から押えられている。ここで、腕部５４は光ケーブル６０を台座５５との間に挟み、長手方向に延びる光ケーブル６０を横切るように延びている。したがって、刃側グリップユニット２０を上方に移動させて開く際に、光ケーブル６０は腕部５４と台座５５との間で留まるので、刃側グリップユニット２０とともに上方に移動するファイバ破断刃４６が、光ケーブル６０から抜け出る。これにより、簡単に切断された光ケーブル６０を光ケーブル切断工具１０から取り出すことができる。
【００５６】
以上の手順により、光ケーブル６０はケーブル切断刃４４によって完全に切断されて切断面６０ａが形成される。また、切断面６０ａから一定の距離、すなわちケーブル切断刃４４とファイバ破断刃４６との間の距離だけ離れた位置に、ファイバ破断刃４６が光ケーブル６０に食い込んで光ファイバ心線６１を破断させた切れ目６０ｂが残る。
【００５７】
以上のように、本発明の実施形態に係る光ケーブル切断工具１０によれば、光ケーブル６０の全体を切断可能なケーブル切断刃４４と、ケーブル切断刃４４と異なる位置で光ファイバ心線６１以外の一部を残して光ケーブル６０を破断可能なファイバ破断刃４６とを有する。
【００５８】
このため、ケーブル切断刃４４によって光ケーブル６０全体が切断されて光ケーブル６０の切断面（端面）６０ａが形成されるとともに、ファイバ破断刃４６によって光ファイバ心線６１が破断される。この光ファイバ心線６１の破断面は、光ケーブル６０の切断面６０ａと異なる位置に形成されている。このため、通信光はファイバ破断刃４６による破断面から切断面６０ａ側の光ファイバ心線６１に伝達されない。よって、切断面６０ａに臨む光ファイバ心線６１の端面から通信光が漏出しないので、一般ユーザでも通信光が眼に入る虞が無く、安全に光ケーブル６０を切断することができる。
【００５９】
また、光ケーブル６０の長手方向に対して、一対のファイバ破断刃４６，４６がケーブル切断刃４４の両側に設けられているので、光ケーブル６０の切断面に対し、両側から通信光が伝達されることを阻止できる。したがって、通信光の入力方向が不明な場合にも、安全に光ケーブル６０を切断することができる。
【００６０】
さらに、刃側グリップユニット２０と受け座側グリップユニット３０とは同一形状とされているので、金型でグリップユニット２０，３０を樹脂成型する場合に製造コストを低減できる。
【００６１】
また、本実施形態に係る光ケーブル切断工具１０は、刃保持ユニット４０および受け座ユニット５０をユニット交換することができる。図１２を参照して、刃保持ユニット４０および受け座ユニット５０の交換作業について説明する。
なお、刃保持ユニット４０および受け座ユニット５０の交換作業は、全く同様に行うことができるので、ここでは刃保持ユニット４０の交換について説明する。また、説明の都合上、刃側グリップユニット２０を下側にし、受け座側グリップユニット３０を上側にして図示するとともに説明する。
【００６２】
図１２に示すように、交換用工具１２の細い棒状の先端部１２ａを、刃側グリップユニット２０の側面２４ｂの貫通孔２７に挿入して、刃保持ユニット４０の係止突起４７ａ（受け座ユニット５０では係止爪５２）を押し込んで係止状態を解除する。そして、刃保持ユニット４０を刃側グリップユニット２０の凹部２５から引き抜く。
新しい刃保持ユニット４０を装着する際には、凹部２５に押し込んで、脱落しないように係止突起４７ａにより係止する。
【００６３】
このとき、刃側グリップユニット２０に設けられた凹部２５と受け座側グリップユニット３０に設けられた凹部３５の形状が同一である。このため、ユーザは、刃保持ユニット４０および受け座ユニット５０を、刃側グリップユニット２０および受け座側グリップユニット３０のどちらに嵌めるべきかを判断する必要がない。
【００６４】
このように、本実施形態に係る光ケーブル切断工具１０は、刃保持ユニット４０および受け座ユニット５０を簡単にユニット交換することができる。
【００６５】
なお、本発明の光ケーブル切断工具１０は、前述した実施形態に限定されるものでなく、適宜な変形，改良等が可能である。
【００６６】
例えば前述した実施形態においては、１心の光ケーブルを例に挙げて説明したが、例えば４心など、多心の光ケーブルについても適用可能である。また、ドロップ光ケーブル以外の光ケーブルにも適用可能である。
【００６７】
また、上述の実施形態では、手動で受け座側グリップユニット３０と刃側グリップユニット２０とを互いに開く例を挙げて説明したが、開く方向へ付勢するばね部材をヒンジ部材１１に設けて、常時開状態を保持するようにすることもできる。
【００６８】
また、ファイバ破断刃４６の形状は上述した実施形態のように、切断時に光ケーブル６０を貫通するものに限られない。図１３（Ａ）は本発明の第一変形例に係るファイバ破断刃４６Ａを用いた破断状態を示す断面図であり、図１３（Ｂ）は本発明の第二変形例に係るファイバ破断刃４６Ｂを用いた破断状態を示す断面図である。
【００６９】
図１３（Ａ）に示すように、ファイバ破断刃４６Ａの高さ寸法Ｈ３を、光ファイバ心線６１に到達できる程度に大きく、光ケーブル６０を貫通しない程度に光ケーブル６０の厚みｔよりも小さく設定してもよい。この場合には、光ケーブル６０の切断時に、ファイバ破断刃４６Ａは光ファイバ心線６１を破断し、シース６３の下部領域が切断されずに残される。
【００７０】
また、図１３（Ｂ）に示すように、ファイバ破断刃４６Ｂの形状は、光ケーブル６０の全幅にわたって、光ファイバ心線６１およびテンションメンバ６２を破断するものであっても良い。この場合には、光ケーブル６０下部のシース６３の一部を残すように、光ケーブル６０を切断する。
【符号の説明】
【００７１】
１０： 光ケーブル切断工具、２０：刃側グリップユニット、３０：受け座側グリップユニット、４０：刃保持ユニット、４４：ケーブル切断刃、４６：ファイバ破断刃、５０：受け座ユニット、５５：台座、６０：光ケーブル、６１：光ファイバ、６２：テンションメンバ、６３：シース（外皮）
【図１】
0005850368.tif 000002
【図２】
0005850368.tif 000003
【図３】
0005850368.tif 000004
【図４】
0005850368.tif 000005
【図５】
0005850368.tif 000006
【図６】
0005850368.tif 000007
【図７】
0005850368.tif 000008
【図８】
0005850368.tif 000009
【図９】
0005850368.tif 000010
【図１０】
0005850368.tif 000011
【図１１】
0005850368.tif 000012
【図１２】
0005850368.tif 000013
【図１３】
0005850368.tif 000014